(57)【特許請求の範囲】
【請求項１】
コピー出力の際にコピー防止模様を浮かび上がらせる形態で出力させる機能を有するコピー防止用用紙に記載されるコンテンツをコピーするコンテンツコピー機であって、
コピー防止用用紙に記載されるコンテンツを入力する入力手段と、
入力したコンテンツ又は上記コピー防止用用紙に埋め込まれたコンテンツ識別子を読み取る読取手段と、
コピー状況に関する情報を獲得する獲得手段と、
読み取ったコンテンツ識別子と獲得したコピー状況に関する情報とを使い、コンテンツ管理機構にアクセスすることで、出力対象となるコンテンツと該コンテンツの出力制御情報とを取得するか、出力不許可を示す出力制御情報を取得する取得手段と、
取得した出力制御情報に従って、取得したコンテンツを出力するか、入力したコピー防止模様の浮かび上がる出力形態のコンテンツを出力する出力手段とを備えることを、
特徴とするコンテンツコピー機。
【請求項２】
コピー出力の際にコピー防止模様を浮かび上がらせる形態で出力させる機能を有するコピー防止用用紙に記載されるコンテンツをコピーするコンテンツコピー機であって、
コピー防止用用紙に記載されるコンテンツを入力する入力手段と、
入力したコンテンツに埋め込まれたコンテンツ識別子を読み取る第１の読取手段と、
上記コピー防止用用紙に埋め込まれた用紙識別子を読み取る第２の読取手段と、
読み取ったコンテンツ識別子及び用紙識別子を使い、コンテンツ管理機構にアクセスすることで、出力対象となるコンテンツと該コンテンツの出力制御情報とを取得するか、出力不許可を示す出力制御情報を取得する取得手段と、
取得した出力制御情報に従って、取得したコンテンツを出力するか、入力したコピー防止模様の浮かび上がる出力形態のコンテンツを出力する出力手段とを備えることを、
特徴とするコンテンツコピー機。
【請求項３】
コピー出力の際にコピー防止模様を浮かび上がらせる形態で出力させる機能を有するコピー防止用用紙に記載されるコンテンツをコピーするコンテンツコピー機であって、
コピー防止用用紙に記載されるコンテンツを入力する入力手段と、
入力したコンテンツに埋め込まれたコンテンツ識別子を読み取る第１の読取手段と、
上記コピー防止用用紙に埋め込まれた用紙識別子を読み取る第２の読取手段と、
コピー状況に関する情報を獲得する獲得手段と、
読み取ったコンテンツ識別子及び用紙識別子と獲得したコピー状況に関する情報とを使い、コンテンツ管理機構にアクセスすることで、出力対象となるコンテンツと該コンテンツの出力制御情報とを取得するか、出力不許可を示す出力制御情報を取得する取得手段と、
取得した出力制御情報に従って、取得したコンテンツを出力するか、入力したコピー防止模様の浮かび上がる出力形態のコンテンツを出力する出力手段とを備えることを、
特徴とするコンテンツコピー機。
【請求項４】
請求項１ないし３のいずれか１項に記載されるコンテンツコピー機において、
上記コンテンツ管理機構は、装置内に設けられるか、ネットワークを介して接続されるセンタに設けられることを、
特徴とするコンテンツコピー機。
【請求項５】
請求項１ないし４のいずれか１項に記載されるコンテンツコピー機において、
上記出力手段は、上記コンテンツ管理機構から取得したコンテンツを出力する場合、コピー防止用用紙で用意される出力用紙にコンテンツを出力することを、
特徴とするコンテンツコピー機。
【請求項６】
請求項５記載のコンテンツコピー機において、
上記出力手段は、異なるコピー防止模様を持つ複数のコピー防止用用紙の中から、上記出力制御情報に応じたコピー防止用用紙を選択してコンテンツを出力することを、
特徴とするコンテンツコピー機。
【請求項７】
請求項１ないし４のいずれか１項に記載されるコンテンツコピー機において、
上記出力手段は、上記コンテンツ管理機構から取得したコンテンツを出力する場合、コンテンツの出力先の用紙にコピー防止模様を出力することを、
特徴とするコンテンツコピー機。
【請求項８】
請求項７記載のコンテンツコピー機において、
上記出力手段は、上記出力制御情報に応じたコピー防止模様を出力することを、
特徴とするコンテンツコピー機。
【請求項９】
コピー出力の際にコピー防止模様を浮かび上がらせる形態で出力させる機能を有するコピー防止用用紙に記載されるコンテンツをコピーするためのプログラムを記録したプログラム記録媒体であって、
コピー防止用用紙に記載されるコンテンツを入力する処理と、
入力したコンテンツ又は上記コピー防止用用紙に埋め込まれたコンテンツ識別子を読み取る処理と、
コピー状況に関する情報を獲得する処理と、
読み取ったコンテンツ識別子と獲得したコピー状況に関する情報とを使い、コンテンツ管理機構にアクセスすることで、出力対象となるコンテンツと該コンテンツの出力制御情報とを取得するか、出力不許可を示す出力制御情報を取得する処理と、
取得した出力制御情報に従って、取得したコンテンツを出力するか、入力したコピー防止模様の浮かび上がる出力形態のコンテンツを出力する処理とをコンピュータに実行させるためのプログラムを記録したことを、
特徴とするコンテンツコピー機用プログラム記録媒体。
【請求項１０】
コピー出力の際にコピー防止模様を浮かび上がらせる形態で出力させる機能を有するコピー防止用用紙に記載されるコンテンツをコピーするためのプログラムを記録したプログラム記録媒体であって、
コピー防止用用紙に記載されるコンテンツを入力する処理と、
入力したコンテンツに埋め込まれたコンテンツ識別子を読み取る処理と、
上記コピー防止用用紙に埋め込まれた用紙識別子を読み取る処理と、
読み取ったコンテンツ識別子及び用紙識別子を使い、コンテンツ管理機構にアクセスすることで、出力対象となるコンテンツと該コンテンツの出力制御情報とを取得するか、出力不許可を示す出力制御情報を取得する処理と、
取得した出力制御情報に従って、取得したコンテンツを出力するか、入力したコピー防止模様の浮かび上がる出力形態のコンテンツを出力する処理とをコンピュータに実行させるためのプログラムを記録したことを、
特徴とするコンテンツコピー機用プログラム記録媒体。
【請求項１１】
コピー出力の際にコピー防止模様を浮かび上がらせる形態で出力させる機能を有するコピー防止用用紙に記載されるコンテンツをコピーするためのプログラムを記録したプログラム記録媒体であって、
コピー防止用用紙に記載されるコンテンツを入力する処理と、
入力したコンテンツに埋め込まれたコンテンツ識別子を読み取る処理と、
上記コピー防止用用紙に埋め込まれた用紙識別子を読み取る処理と、
コピー状況に関する情報を獲得する処理と、
読み取ったコンテンツ識別子及び用紙識別子と獲得したコピー状況に関する情報とを使い、コンテンツ管理機構にアクセスすることで、出力対象となるコンテンツと該コンテンツの出力制御情報とを取得するか、出力不許可を示す出力制御情報を取得する処理と、
取得した出力制御情報に従って、取得したコンテンツを出力するか、入力したコピー防止模様の浮かび上がる出力形態のコンテンツを出力する処理とをコンピュータに実行させるためのプログラムを記録したことを、
特徴とするコンテンツコピー機用プログラム記録媒体。
【発明の詳細な説明】
【０００１】
【発明の属する技術分野】
本発明は、コピー防止用用紙に記載されるディジタルコンテンツをコピーするコンテンツコピー機と、そのコンテンツコピー機を実現するプログラムを記録したコンテンツコピー機用プログラム記録媒体とに関し、特に、正当な権限を有するユーザに対して高品質のコピー物を提供できるようにするコンテンツコピー機と、そのコンテンツコピー機を実現するプログラムを記録したコンテンツコピー機用プログラム記録媒体とに関する。
【０００２】
【従来の技術】
静止画像、動画像、音楽、テキストデータなどの各種デジタルコンテンツの流通が、近年急速に進展してきている。このようなデジタルコンテンツの流通において問題となるのは、著作権の保護・管理およびコンテンツ利用促進のための仕組みをどのように構築するかである。
【０００３】
このような問題を解決するために、各デジタルコンテンツにユニークな識別子であるコンテンツＩＤを付与し、デジタルコンテンツと、そのコンテンツに対する検索のための情報や著作権に関する情報などのコンテンツの属性情報とを、コンテンツＩＤによって統一的に管理するシステムの構築が提案されている。
【０００４】
図１７は、そのコンテンツ管理システムの概要を示す図である。コンテンツＩＤ管理センタ１００は、各デジタルコンテンツにユニークなコンテンツＩＤを付与する機能と、付与したコンテンツＩＤとそのコンテンツの原本とを管理する機能を持つ。コンテンツ管理データベース１２０は、発行したコンテンツＩＤ２００と、そのコンテンツ原本２１０とを管理する。
【０００５】
なお、コンテンツＩＤ２００とコンテンツ原本２１０とは、必ずしも１つのコンテンツ管理データベース１２０で管理する必要はなく、コンテンツ原本２１０の管理は、コンテンツＩＤ管理センタ１００から何らかの手段によりアクセス可能になっていれば十分である。
【０００６】
コンテンツ登録装置１１０およびコンテンツ利用端末１３０は、ネットワークを介してコンテンツＩＤ管理センタ１００に接続可能なパーソナルコンピュータなどの情報機器である。
【０００７】
コンテンツ制作者やコンテンツ販売者などのデジタルコンテンツに対して著作権を持つ者は、コンテンツを配布するにあたって、コンテンツ登録装置１１０から事前にデジタルコンテンツの原本とコンテンツの登録に必要な属性情報を含む登録要求を、コンテンツＩＤ管理センタ１００へ送る。コンテンツＩＤ管理センタ１００では、コンテンツ登録要求を受けると、そのコンテンツに対してユニークなコンテンツＩＤを発行し、コンテンツ管理データベース１２０にコンテンツＩＤおよびコンテンツ原本を登録する。その後、コンテンツ登録装置１１０に対して、発行したコンテンツＩＤまたはそのコンテンツＩＤを付加したデジタルコンテンツを返送する。
【０００８】
一般ユーザは、コンテンツ利用端末１３０からネットワークを介してコンテンツＩＤ管理センタ１００へコンテンツの検索要求を送ることができる。検索要求を受けたコンテンツＩＤ管理センタ１００は、コンテンツＩＤに付随する属性情報によって要求されたコンテンツを検索し、該当するコンテンツに対する利用が許されている場合には、そのコンテンツ原本にコンテンツＩＤを電子透かしなどにより埋め込んだコンテンツＩＤ付きコンテンツをコンテンツ利用端末１３０へ送信する。コンテンツ利用端末１３０からのコンテンツ購入要求に対しても、必要な課金処理をコンテンツＩＤ管理センタ１００で行って、コンテンツＩＤ付きコンテンツを要求元のコンテンツ利用端末１３０へ送信する。
【０００９】
図１８は、コンテンツ管理システムにおけるコンテンツＩＤのデータ構成例を示す。コンテンツＩＤ２００は、各デジタルコンテンツに対してユニークに付与されるもので、センタ番号やセンタ内番号などからなるＩＤセンタ管理番号と、コンテンツのジャンル、タイトル、メディア種別などの著作物属性と、著作権に関する利用許諾条件属性、流通履歴属性、ロイヤリティ分配情報などの流通属性と、デジタル署名や電子透かし情報などのためのシステム制御属性とに関する情報群からなる。
【００１０】
このコンテンツＩＤ２００は、コンテンツＩＤ管理センタ１００においてコンテンツ管理データベース１２０などにより管理されるとともに、コンテンツＩＤ２００またはその一部は、コンテンツ原本２１０からコピーしたコンテンツに対してデジタルヘッダの形式で付与されたり、電子透かしなどによりコンテンツ中に埋め込まれたりする。
【００１１】
図１８に示すコンテンツＩＤ２００のうち、各コンテンツごとに実際にユニークな値を持つ部分は、ＩＤセンタ管理番号の部分であり、ＩＤセンタ管理番号によってコンテンツ原本２１０を特定することができるので、以下では、このＩＤセンタ管理番号だけを、単にコンテンツＩＤと呼ぶ。この場合、図１８に示すコンテンツＩＤ２００全体をコンテンツ属性情報と呼ぶことにする。
【００１２】
特に、コンテンツ原本２１０に対してＩＤを電子透かしなどにより埋め込む場合には、埋め込み情報量の削減のため、ＩＤセンタ管理番号（本明細書でいうコンテンツＩＤ）の部分だけを埋め込む。デジタルヘッダ（またはテイルや中間に挿入することもある）の形式でコンテンツに付加する場合には、例えばＸＭＬ（Ｅｘｔｅｎｓｉｂｌｅ  Ｍａｒｋｕｐ  Ｌａｎｇｕａｇｅ）文書形式でコンテンツ属性情報を付加する。
【００１３】
一方、光学式コピー機により画像などのコンテンツがコピーされるのを防止する方法として、画像などのコンテンツをコピー防止用用紙に記載するという方法が用いられている。コピー防止用用紙に記載されたコンテンツは、ユーザの目にはコンテンツのみが記載されているように見えるものの、光学式コピー機でコピーすると、「コピー」などといったようなコピー防止模様（特殊なインクを使って印刷したり、人間の視覚の錯覚を利用して印刷する方法などがある）が浮かび上がる形でコピーされることになる。
【００１４】
このコピー防止模様が浮かび上がることで、光学式コピー機を用いたコンテンツの不正なコピーを防止できるのである。
【００１５】
【発明が解決しようとする課題】
このように、従来技術では、画像などのコンテンツをコピー防止用用紙に記載するという方法を用いることで、コンテンツの不正なコピーを防止するという方法を用いている。
【００１６】
しかしながら、このような従来技術に従っていると、正当な権限を有するユーザがコピーする場合にも、「コピー」などといったようなコピー防止模様が浮かび上がってしまうという問題点がある。
【００１７】
すなわち、正当な権限を有するユーザがコピーする場合には、本来、「コピー」などといったようなコピー防止模様が浮かび上がらないようにする必要があるが、コンテンツをコピー防止用用紙に記載するという従来技術に従っていると、正当な権限を有するユーザがコピーする場合にも、このコピー防止模様が浮かび上がってしまうことになるのである。
【００１８】
本発明はかかる事情に鑑みてなされたものであって、コピー防止用用紙に記載されるディジタルコンテンツをコピーする構成を採るときにあって、正当な権限を有するユーザに対して高品質のコピー物を提供できるようにする新たな技術の構築を目的とする。
【００１９】
【課題を解決するための手段】
この目的を達成するために、本発明のコンテンツコピー機では、コピー防止用用紙（コピー出力の際にコピー防止模様を浮かび上がらせる形態で出力させる機能を有する）に記載されるコンテンツを光学式コピー機構などにより読み取ることで入力する入力手段と、入力したコンテンツやそのコンテンツを記載するコピー防止用用紙に電子透かしなどを使って埋め込まれたコンテンツ識別子を読み取る読取手段と、コピー状況に関する情報を獲得する獲得手段と、読み取ったコンテンツ識別子と獲得したコピー状況に関する情報とを使い、コンテンツ管理機構（装置内に設けられたり、ネットワークを介して接続されるセンタに設けられる）にアクセスすることで、出力対象となるコンテンツとそのコンテンツの出力制御情報とを取得するか、出力不許可を示す出力制御情報を取得する取得手段と、取得した出力制御情報に従って、取得したコンテンツを出力するか、入力したコンテンツを出力する出力手段とを備えるように構成する。
【００２０】
このように構成される本発明のコンテンツコピー機では、入力手段がコピー防止用用紙に記載されるコンテンツを入力すると、読取手段は、入力したコンテンツやそのコンテンツを記載するコピー防止用用紙に埋め込まれたコンテンツ識別子を読み取り、獲得手段は、コピー状況に関する情報を獲得する。
【００２１】
この読取手段及び獲得手段の処理を受けて、取得手段は、読み取ったコンテンツ識別子と獲得したコピー状況に関する情報とを使い、コンテンツ管理機構にアクセスすることで、正当な権限を有しないユーザからのコピー要求である場合には、出力不許可を示す出力制御情報を取得し、正当な権限を有するユーザからのコピー要求である場合には、出力対象となるコンテンツとそのコンテンツの出力制御情報とを取得する。
【００２２】
そして、この取得手段の処理を受けて、出力手段は、取得した出力制御情報が出力不許可を示す場合には、入力手段の読み取ったコンテンツをそのまま出力し（コピー防止模様を浮かび上がることになる）、取得した出力制御情報がコンテンツの出力制御情報である場合には、入力手段の読み取ったコンテンツに代えて、コンテンツ管理機構から送られてきたコンテンツを出力する。
【００２３】
また、本発明のコンテンツコピー機では、入力したコンテンツにコンテンツ識別子が埋め込まれるとともに、コピー防止用用紙に用紙識別子が埋め込まれる場合には、入力したコンテンツに埋め込まれたコンテンツ識別子を読み取る第１の読取手段の他に、コピー防止用用紙に埋め込まれた用紙識別子を読み取る第２の読取手段を備える構成を採って、取得手段は、読み取ったコンテンツ識別子及び用紙識別子（コピー状況に関する情報が加わることもある）を使ってコンテンツ管理機構にアクセスすることで、正当な権限を有しないユーザからのコピー要求である場合には、出力不許可を示す出力制御情報を取得し、正当な権限を有するユーザからのコピー要求である場合には、出力対象となるコンテンツとそのコンテンツの出力制御情報とを取得するように処理する。
【００２４】
そして、この取得手段の処理を受けて、出力手段は、取得した出力制御情報が出力不許可を示す場合には、入力手段の読み取ったコンテンツをそのまま出力し（コピー防止模様を浮かび上がることになる）、取得した出力制御情報がコンテンツの出力制御情報である場合には、入力手段の読み取ったコンテンツに代えて、コンテンツ管理機構から送られてきたコンテンツを出力する。
【００２５】
このようにして、本発明のコンテンツコピー機では、光学式コピー機構などで読み取ったコンテンツやそのコンテンツを記載するコピー防止用用紙に埋め込まれているコンテンツ識別子や用紙識別子を読み取り、それを使って正当な権限を有するユーザであるのか否かを判断する構成を採って、正当な権限を有しないと判断される場合には、光学式コピー機構などで読み取ったコンテンツをそのまま出力することで、コピー防止模様が浮かび上がる形のコンテンツを出力し、正当な権限を有すると判断される場合には、光学式コピー機構などで読み取ったコンテンツを廃棄し、コンテンツ識別子の指すコンテンツを取得してそれを出力することで、コピー防止模様が浮かび上がらない形のコンテンツを出力する。
【００２６】
この構成に従って、本発明によれば、正当な権限を有しないユーザに対しては、コピー防止模様が浮かび上がる形のコンテンツをコピー出力し、正当な権限を有するユーザに対しては、コピー防止模様が浮かび上がらない形の高品質のコンテンツをコピー出力できるようになることで、著作権の保護を図りつつコンテンツをコピーできるようになる。
【００２７】
【発明の実施の形態】
以下、実施の形態に従って本発明を詳細に説明する。
【００２８】
図１に、本発明の一実施形態例を図示する。
【００２９】
図中、１は本発明のコンテンツコピー機、２はネットワークを介してコンテンツコピー機１に接続されるコンテンツ管理センタである。
【００３０】
本発明のコンテンツコピー機１は、コピー防止用用紙に記載された画像などのコンテンツをコピーする処理を行うものであって、画像読取部１０と、検索用補助データ取得部１１と、透かし検出部１２と、管理センタ問い合わせ部１３と、出力データ生成部１４と、選択部１５と、画像出力部１６とを備える。
【００３１】
この画像読取部１０は、イメージスキャナを制御することで、コピー防止用用紙に記載された画像などのコンテンツを読み取る。検索用補助データ取得部１１は、対話処理などに従って、ユーザＩＤや、コピー枚数や、コンテンツコピー機１の機器ＩＤや、時刻や、地理的位置などの検索用補助データ（コピー状況に関するデータ）を取得する。
【００３２】
透かし検出部１２は、画像読取部１０により読み取られたコンテンツに埋め込まれているコンテンツＩＤ（電子透かしを使ってコンテンツに埋め込まれている）を検出したり、コピー防止用用紙に埋め込まれている用紙ＩＤ（電子透かしを使ってコピー防止模様などに埋め込まれている）を検出する。管理センタ問い合わせ部１３は、コンテンツ管理センタ２にアクセスすることで、コピー対象となるコンテンツのデータと、そのコンテンツの出力制御用データとを入手する。
【００３３】
出力データ生成部１４は、コンテンツ管理センタ２から入手したコンテンツに日付けやコンテンツ名などのヘッダ情報を付加することで、出力データを生成する。なお、コンテンツ管理センタ２から入手したコンテンツをそのまま出力するときには、この出力データ生成部１４については備える必要はない。
【００３４】
選択部１５は、管理センタ問い合わせ部１３からの選択指示に応答して、画像読取部１０の読み取った入力コンテンツか、出力データ生成部１４の生成した出力データのいずれか一方を出力対象のコンテンツとして選択する。画像出力部１６は、プリンタを制御することで、選択部１５の選択したコンテンツを用紙に印刷することで出力する。
【００３５】
ここで、コンテンツコピー機１の持つ機能は具体的にはプログラムで実現されるものであり、このプログラムは、計算機が読み取り可能な半導体メモリなどの適当な記録媒体に格納することができる。
【００３６】
一方、コンテンツ管理センタ２は、コンテンツコピー機１の出力するコンテンツを管理する処理を行うものであって、コンテンツ原本データベース２０と、コンテンツＩＤ管理表２１と、問い合わせ検索部２２と、コンテンツ加工送信部２３とを備える。
【００３７】
このコンテンツ原本データベース２０は、コンテンツＩＤとの対応をとりつつ、各コンテンツの原本を管理する。コンテンツＩＤ管理表２１は、コンテンツＩＤや用紙ＩＤとの対応をとりつつ、コピー許諾属性の定義情報を管理する。
【００３８】
問い合わせ検索部２２は、コンテンツコピー機１からの問い合わせ要求に応答して、コンテンツＩＤ管理表２１を参照することで、コンテンツコピー機１の指定するコンテンツをコピーしてもよいのか否かということと、コピーしてもよい場合には、どのような品質のコンテンツをコピーするのかということなどについて記述する出力制御用データを検索するとともに、コピーしてもよい場合には、コンテンツ原本データベース２０からそのコンテンツの原本を読み出す。
【００３９】
コンテンツ加工送信部２３は、コンテンツ原本データベース２０から読み出されたコンテンツ原本を出力制御用データの指定する品質のものに加工し、それにコンテンツＩＤを埋め込んでコンテンツコピー機１に送信するとともに、その送信と同期をとりつつ、問い合わせ検索部２２の検索した出力制御用データ（出力の許可・不許可を指示するデータなど）をコンテンツコピー機１に送信する。
【００４０】
なお、コンテンツ原本データベース２０がコンテンツの原本とともに、それから加工されるコンテンツについても管理する構成を採るときには、コンテンツ加工送信部２３は、コンテンツ原本を加工する処理については行わない。また、コンテンツにコンテンツＩＤを埋め込む処理については、コンテンツコピー機１で行うことも可能であり、このときには、コンテンツ加工送信部２３は、コンテンツコピー機１に対して、コンテンツＩＤの埋め込まれていないコンテンツを送信するように処理することになる。更に、コンテンツ原本データベース２０がコンテンツＩＤの埋め込まれたコンテンツの原本とともに、それから加工されるコンテンツＩＤの埋め込まれたコンテンツについて管理するという構成を採ることも可能である。
【００４１】
また、説明しなかったが、コンテンツ管理センタ２は、コンテンツコピー機１からユーザＩＤが通知されると、そのユーザの役職や部署などを特定できる機能を有している。
【００４２】
ここで、コンテンツ管理センタ２の持つ機能は具体的にはプログラムで実現されるものであり、このプログラムは、計算機が読み取り可能な半導体メモリなどの適当な記録媒体に格納することができる。
【００４３】
この図１の実施形態例では、コンテンツ管理センタ２がネットワークを介してコンテンツコピー機１に接続されるというシステム構成を想定したが、図２に示すように、このコンテンツ管理センタ２の機能をコンテンツコピー機１の装置内部に備えることも可能であり、この構成を採ると、コンテンツ管理センタ２との間の通信処理を省くことができるというメリットが得られる。
【００４４】
図３ないし図５に、コンテンツＩＤ管理表２１の一実施形態例を図示する。なお、コンテンツ管理センタ２には、以下に説明するような異なるデータ構造を持つ複数のコンテンツＩＤ管理表２１が備えられることもある。
【００４５】
図３に示すコンテンツＩＤ管理表２１では、コンテンツＩＤに対応付けて、そのコンテンツＩＤの指すコンテンツ原本がどれであるのかということと、どういうコピー状況のときにそのコンテンツのコピーを許可するのかということと、そのときのコピー品質とを管理する。
【００４６】
例えば、“００５”というコンテンツＩＤの指すコンテンツは“００５．ｊｐｇ  ”であり、これにより“００５”というコンテンツＩＤの指すコンテンツを検索できるようにするとともに、このコンテンツ“００５．ｊｐｇ  ”については、コンテンツコピー機１が管理コピー機でかつ課長以上のコピー要求の場合にはコピーを許可して、そのときのコピー品質は完全コピー（コンテンツ原本のコピーレベル）であり、また、コンテンツコピー機１が製造コピー機でかつ３枚以内のコピー要求の場合にはコピーを許可して、そのときのコピー品質は解像度半分であるということを管理するのである。
【００４７】
図４に示すコンテンツＩＤ管理表２１では、用紙ＩＤに対応付けて、その用紙ＩＤの指すコンテンツ原本がどれであるのかということと、どういうコピー状況のときにそのコンテンツのコピーを許可するのかということと、そのときのコピー品質とを管理する。
【００４８】
例えば、“１０２”という用紙ＩＤの指すコンテンツ“００２．ｊｐｇ  ”であり、これにより“１０２”という用紙ＩＤの指すコンテンツを検索できるようにするとともに、この“００２．ｊｐｇ  ”については、管理部門社員のコピー要求の場合にはコピーを許可して、そのときのコピー品質は完全コピーであり、また、製造部門社員のコピー要求の場合にはコピーを許可して、そのときのコピー品質はモノクロコピーであるということを管理するのである。
【００４９】
この図４に示すコンテンツＩＤ管理表２１では、用紙ＩＤがコンテンツ原本に１対１に対応付けられていることで、用紙ＩＤはコンテンツＩＤと１対１に対応付けられており、その意味では、用紙ＩＤはコンテンツＩＤと等価なものとなっている。
【００５０】
図５に示すコンテンツＩＤ管理表２１では、コンテンツに関係なく、このコピー防止用用紙の場合にはどういうコピー状況のときにコピーを許可するのかということと、そのときのコピー品質とを管理する。
【００５１】
例えば、“１０１”という用紙ＩＤについては、部長以上のコピー要求の場合にはコピーを許可して、そのときのコピー品質は完全コピーであり、また、社員のコピー要求の場合にはコピーを許可して、そのときのコピー品質はコピーであることを明示する文字を上書きするという品質レベルのコピーであるということを管理するのである。
【００５２】
その他に、コピー状況及びコピー防止用用紙に関係なく、このコンテンツについてはコピーを許可し、そのときのコピー品質はこのようなものであるというような許諾属性の定義情報を管理するコンテンツＩＤ管理表２１を用意したり、コピー状況及びコンテンツに関係なく、このコピー防止用用紙についてはコピーを許可し、そのときのコピー品質はこのようなものであるというような許諾属性の定義情報を管理するコンテンツＩＤ管理表２１を用意したり、コンテンツ及びコピー防止用用紙に関係なく、このコピー状況のときにはコピーを許可し、そのときのコピー品質はこのようなものであるというような許諾属性の定義情報を管理するコンテンツＩＤ管理表２１を用意することも可能である。
【００５３】
図６に、コンテンツコピー機１及びコンテンツ管理センタ２の実行する処理フローの一実施形態例を図示する。ここで、図中の左側がコンテンツコピー機１の実行する処理フロー部分であり、右側がコンテンツ管理センタ２の実行する処理フロー部分である。
【００５４】
次に、この処理フローに従って、本発明の処理について詳細に説明する。
【００５５】
コンテンツコピー機１は、先ず最初に、ステップ１で、画像読取部１０を使って、コピー防止用用紙に記載されるコンテンツを読み取ることで、コンテンツを入力する。
【００５６】
コンテンツコピー機１は、続いて、ステップ２で、透かし検出部１２を使って、画像読取部１０により読み取られたコンテンツに埋め込まれているコンテンツＩＤを読み取る。このとき、コンテンツにはコンテンツＩＤが埋め込まれていなくて、コピー防止用用紙にコンテンツＩＤと１対１に対応付けられる用紙ＩＤが埋め込まれている場合には、その用紙ＩＤを読み取るように処理する。
【００５７】
すなわち、図４に示すコンテンツＩＤ管理表２１で説明したように、コピー防止用用紙にコンテンツＩＤと１対１に対応付けられる用紙ＩＤが埋め込まれている場合には、その用紙ＩＤを読み取ることで、コンテンツＩＤに相当するものを読み取るのである。
【００５８】
文書画像などのコンテンツにはコンテンツＩＤを埋め込むことが難しいことがあり、このような場合には、コピー防止模様を使って、コピー防止用用紙にコンテンツＩＤと１対１に対応付けられる用紙ＩＤが埋め込まれることがあるので、そのようなときには、この用紙ＩＤを読み取ることになる。
【００５９】
コンテンツコピー機１は、続いて、ステップ３で、検索用補助データ取得部１１を使って、ユーザＩＤや、コピー枚数や、コンテンツコピー機１の機器ＩＤや、時刻や、地理的位置などの検索用補助データを取得することで、コピー状況に関するデータを取得する。
【００６０】
コンテンツコピー機１は、続いて、ステップ４で、管理センタ問い合わせ部１３を使って、その読み取ったコンテンツＩＤ（用紙ＩＤのこともある）とその取得した検索用補助データとを１組のデータとして、コンテンツ管理センタ２に送信することで、コピー防止用用紙に記載されるコンテンツをコピーしてもよいのか否かを問い合わせる。
【００６１】
この問い合わせを受けて、コンテンツ管理センタ２は、先ず最初に、ステップ２０で、送られてくるコンテンツＩＤ（用紙ＩＤのこともある）と検索用補助データとの組データを受信する。
【００６２】
コンテンツ管理センタ２は、続いて、ステップ２１で、問い合わせ検索部２２を使って、受信したコンテンツＩＤ（用紙ＩＤ）及び検索用補助データをキーにしてコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索するとともに、コピーしてもよい場合には、コンテンツ原本データベース２０からそのコンテンツの原本を読み出す。
【００６３】
すなわち、コンテンツ管理センタ２は、コンテンツＩＤと検索用補助データとの組データが送られてくる場合には、例えば図３に示したようなデータ構造を持つコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索することになる。
【００６４】
また、コンテンツ管理センタ２は、コンテンツＩＤと１対１に対応付けられる用紙ＩＤと検索用補助データとの組データが送られてくる場合には、例えば図４に示したようなデータ構造を持つコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索することになる。
【００６５】
コンテンツ管理センタ２は、続いて、ステップ２２で、コンテンツ加工送信部２３を使って、コンテンツ原本データベース２０から読み出したコンテンツ原本を出力制御用データの指定する品質のものに加工し、それにコンテンツＩＤを埋め込んでコンテンツコピー機１に送信するとともに、検索した出力制御用データをコンテンツコピー機１に送信する。このとき、コンテンツをコピーできないことが検索されている場合には、出力禁止を示す出力制御用データのみをコンテンツコピー機１に送信することになる。
【００６６】
この問い合わせ結果の返信を受けて、コンテンツコピー機１は、続いて、ステップ５で、送られてくるコンテンツとその出力制御用データとを受信する。なお、図６の処理フローでは、コンテンツコピー機１は問い合わせデータを送信した後、コンテンツ管理センタ２から返答が返ってくるまで待つように処理しているが、返答が返ってくるまでの間処理を停止するようにしてもよい。
【００６７】
コンテンツコピー機１は、続いて、ステップ６で、コンテンツ管理センタ２から送られてきた出力制御用データに従って、コピー防止用用紙に記載されているコンテンツのコピーが許可されたのか否かを判断して、許可されないことを判断するときには、ステップ７に進んで、選択部１５を使って、画像読取部１０の読み取った入力コンテンツを画像出力部１６に与えることで、画像読取部１０の読み取った入力コンテンツをそのまま用紙に印刷するように処理する。
【００６８】
一方、コンテンツコピー機１は、ステップ６で、コピー防止用用紙に記載されているコンテンツのコピーが許可されたことを判断するときには、ステップ８に進んで、出力データ生成部１４を使って、コンテンツ管理センタ２から入手したコンテンツに日付けやコンテンツ名などのヘッダ情報を付加することで、出力データを生成する。なお、コンテンツ管理センタ２から入手したコンテンツをそのまま出力するときには、この出力データを生成する必要はない。また、コンテンツ名などの情報については、出力制御用データで送られてくることになる。
【００６９】
コンテンツコピー機１は、続いて、ステップ９で、選択部１５を使って、その生成した出力データを画像出力部１６に与えることで、画像読取部１０の読み取った入力コンテンツに代えて、コンテンツ管理センタ２から送られてきたコンテンツを用紙（後述するように好ましくはコピー防止用用紙）に印刷するように処理する。
【００７０】
このようにして、コンテンツコピー機１は、コンテンツ管理センタ２から送られてきた出力制御用データに従って、コピー防止用用紙に記載されているコンテンツのコピーが許可されないことを判断するときには、図７に示すように、画像読取部１０の読み取った入力コンテンツをそのまま用紙に印刷するように処理するのである。すなわち、コピー防止模様が浮かび上がる形でコンテンツが印刷されることになる。
【００７１】
そして、コンテンツコピー機１は、コンテンツ管理センタ２から送られてきた出力制御用データに従って、コピー防止用用紙に記載されているコンテンツのコピーが許可されることを判断するときには、図８に示すように、画像読取部１０の読み取った入力コンテンツに代えて、コンテンツ管理センタ２から送られてきたコンテンツを用紙（この例ではコピー防止用用紙）に印刷するように処理するのである。
【００７２】
ここで、この図７及び図８では、コピー防止用用紙に「ＣＯＰＹ」というコピー防止模様が記載されていることを想定している。
【００７３】
このように、本発明では、コピー権限を有しない場合には、コピー防止模様が浮かび上がる形の低品質のコンテンツをコピーするのに対して、コピー権限を有する場合には、コピー防止模様が浮かび上がらない形の高品質のコンテンツをコピーするように処理する。そして、コピー権限を有する場合には、そのコピー権限の大きさに応じた品質レベルのコンテンツを出力するように処理するのである。
【００７４】
図９に、コンテンツコピー機１及びコンテンツ管理センタ２の実行する処理フローの他の実施形態例を図示する。ここで、図中の左側がコンテンツコピー機１の実行する処理フロー部分であり、右側がコンテンツ管理センタ２の実行する処理フロー部分である。
【００７５】
この図９の処理フローと図６の処理フローとの違いは、図６の処理フローに従う場合には、コンテンツコピー機１は、ステップ２で、コンテンツＩＤ（あるいはコンテンツＩＤに１対１に対応付けられる用紙ＩＤ）を読み取るのに対して、この図９の処理フローに従う場合には、ステップ２Ａで、このコンテンツＩＤを読み取ることに加えて、ステップ２Ｂで、コピー防止用用紙に埋め込まれている用紙ＩＤ（コンテンツＩＤに１対１に対応付けられていない用紙ＩＤ）を読み取るように処理している点である。
【００７６】
すなわち、コンテンツコピー機１は、図６の処理フローに従う場合には、図１０（ａ）に示すように、画像読取部１０により読み取られたコンテンツに埋め込まれているコンテンツＩＤを読み取ったり、図１０（ｂ）に示すように、コピー防止用用紙に埋め込まれているコンテンツＩＤと１対１に対応付けられる用紙ＩＤを読み取るのに対して、図９の処理フローに従う場合には、図１０（ｃ）に示すように、画像読取部１０により読み取られたコンテンツに埋め込まれているコンテンツＩＤを読み取ることに加えて、コピー防止用用紙に埋め込まれているコンテンツＩＤとは対応付けられない用紙ＩＤを読み取るように処理するのである。
【００７７】
このとき、図１１（ａ）に示すように、コンテンツに埋め込まれているコンテンツＩＤと、コピー防止用用紙に埋め込まれている用紙ＩＤとが異なる透かし方式により埋め込まれている場合には、それらの透かし方式に応じて、それぞれのＩＤを読み取ることになる。
【００７８】
一方、電子透かしは同一方式を用いていても、鍵が異なれば、同一コンテンツに複数の異なるデータを埋め込むことが可能である。これから、コンテンツに埋め込まれているコンテンツＩＤと、コピー防止用用紙に埋め込まれている用紙ＩＤとが同一の透かし方式により埋め込まれている場合には、図１１（ｂ）に示すように、それぞれの透かし鍵を設定して、それぞれのＩＤを読み取ることになる。
【００７９】
この図６の処理フローと図９の処理フローとの処理の違いを受けて、コンテンツコピー機１は、図９の処理フローに従う場合には、ステップ４で、コンテンツ管理センタ２に対して、コンテンツＩＤ及び用紙ＩＤと検索用補助データとを１組のデータとして送信することで、コンテンツ管理センタ２に対して問い合わせを行う。
【００８０】
これから、コンテンツ管理センタ２は、問い合わせ検索部２２を使って、送られてきたコンテンツＩＤや用紙ＩＤや検索用補助データをキーにしてコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索するとともに、コピーしてもよい場合には、コンテンツ原本データベース２０からそのコンテンツの原本を読み出す処理を行う。
【００８１】
図１２に、このときに問い合わせ検索部２２が実行する出力制御用データを決定するための処理フローの一実施形態例を図示する。
【００８２】
図１２（ａ）の処理フローに従う場合には、問い合わせ検索部２２は、先ず最初に、ステップ１で、送られてきたコンテンツＩＤ及び検索用補助データをキーにして、図３に示すようなデータ構造を持つコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索する。
【００８３】
続いて、ステップ２で、送られてきた用紙ＩＤ及び検索用補助データをキーにして、図５に示すようなデータ構造を持つコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索する。
【００８４】
続いて、ステップ３で、ステップ１で検索した出力制御用データとステップ２で検索した出力制御用データとから、規定のアルゴリズムに従って、最終的な出力制御用データを決定する。例えば、コピー要件の厳しい方を選択するというアルゴリズムに従うときには、２つの出力制御用データの内のコピー要件の厳しい方を最終的な出力制御用データとして決定し、コピー要件の厳しくない方を選択するというアルゴリズムに従うときには、２つの出力制御用データの内のコピー要件の厳しくない方を最終的な出力制御用データとして決定するのである。
【００８５】
なお、この場合には、図３に示すようなデータ構造を持つコンテンツＩＤ管理表２１からコンテンツＩＤの指すコンテンツの原本を特定することになる。
【００８６】
一方、図１２（ｂ）の処理フローに従う場合には、問い合わせ検索部２２は、送られてきた用紙ＩＤ及び検索用補助データをキーにして、図５に示すようなデータ構造を持つコンテンツＩＤ管理表２１を検索することで、問い合わせのあったコンテンツをコピーしてもよいのか否かということと、コピーしてもよい場合には、どのような品質のコンテンツをコピーするのかということなどについて記述する出力制御用データを検索することで、出力制御用データを決定する。
【００８７】
なお、この図１２（ｂ）の処理フローに従う場合には、図１３に示すように、コンテンツＩＤ管理表２１は、図５に示すようなデータ構造を持つテーブルの他に、コンテンツＩＤとコンテンツとの対応関係を管理するテーブルを用意することになる。
【００８８】
このようにして、図９の処理フローに従う場合には、コンテンツ管理センタ２は、用紙ＩＤを考慮する形で出力制御用データを決定するので、これを受けて、コンテンツコピー機１は、そのようにして決定された出力制御用データに従って、画像読取部１０の読み取った入力コンテンツをそのまま印刷するのか、コンテンツ管理センタ２の取得したコンテンツを印刷するのかを制御するように処理する。
【００８９】
図１４に、コンテンツコピー機１及びコンテンツ管理センタ２の実行する処理フローの他の実施形態例を図示する。ここで、図中の左側がコンテンツコピー機１の実行する処理フロー部分であり、右側がコンテンツ管理センタ２の実行する処理フロー部分である。
【００９０】
この処理フローに従う場合、コンテンツコピー機１は、コンテンツ管理センタ２から送られてきたコンテンツをコピー防止用用紙（規定のコピー防止模様を持つことがある他に、コンテンツ管理センタ２の指示するコピー防止模様を持つことがある）に印刷するという処理を行う。
【００９１】
上述したように、コンテンツコピー機１は、コピー権限を有する場合には、画像読取部１０の読み取った入力コンテンツに代えて、コピー防止模様が浮かび上がらない形でコンテンツ管理センタ２から送られてきたコンテンツを印刷することになる。このようにして印刷されたコンテンツの著作権を保護するために、この実施形態例では、コンテンツ管理センタ２から送られてきたコンテンツをコピー防止用用紙に印刷するように処理するのである。
【００９２】
すなわち、コンテンツコピー機１は、図１４の処理フローに示すように、図６の処理フローのステップ８と同様の処理を行うステップ８で、コンテンツ管理センタ２から入手したコンテンツに日付けやコンテンツ名などのヘッダ情報を付加することで出力データを生成すると、続いて、ステップ８０で、コピー防止模様を生成し、続くステップ８１で、この生成したコピー防止模様と生成した出力データとを使って最終的な印刷データを生成する。
【００９３】
そして、続いて、図６の処理フローのステップ９と同様の処理を行うステップ９で、その生成した印刷データを画像出力部１６に与えることで、画像読取部１０の読み取った入力コンテンツに代えて、コンテンツ管理センタ２から送られてきたコンテンツをコピー防止用用紙に印刷する処理を行う。
【００９４】
例えば、図１５に示すように、コンテンツ管理センタ２がコンテンツデータと出力制御用データとに加えて、コピー状況などに応じたコピー防止模様データを送ってくるときには、コンテンツコピー機１は、それをコンテンツの出力先となる用紙に印刷することでコピー防止用用紙を用意するのである。
【００９５】
このとき、コンテンツ管理センタ２からの指示に従って、コンテンツコピー機１がコピー防止模様データを生成するようにしてもよい。なお、この図では、コピー防止模様については特殊インクで印刷し、コンテンツについては通常インクで印刷することを想定しているが、コピー防止模様とコンテンツとの双方を同一インクで印刷することができるような場合には、コピー防止模様とコンテンツとを同時に印刷することができる。
【００９６】
また、図１６に示すように、コンテンツ管理センタ２がコンテンツデータとともに、出力制御用データの１つとして、コピー状況などに応じたコピー防止模様の選択データ（コピー防止用用紙の選択データ）を送ってくるときには、コンテンツコピー機１は、異なるコピー防止模様を持つコピー防止用用紙をスタックするトレーの中から、その選択データの指定するトレーを選択することで、コンテンツの出力先となるコピー防止用用紙を用意するのである。
【００９７】
このようにして、コンテンツコピー機１は、図１４の処理フローに従うときには、社長用のコピー防止模様を持つコピー防止用用紙に、コンテンツ管理センタ２から送られてくる社長関係のコンテンツを印刷したり、市役所のコピー防止模様を持つコピー防止用用紙に、コンテンツ管理センタ２から送られてくる市役所関係のコンテンツを印刷したりするというようなことができるようになる。
【００９８】
上述したように、コピー防止模様には、電子透かしを使ってコンテンツＩＤに相当する用紙ＩＤや、コンテンツＩＤと対応付けられない用紙ＩＤなどの情報を埋め込むことが可能である。
【００９９】
これから、コンテンツ管理センタ２は、コンテンツコピー機１へ送るコピー防止模様データに電子透かしを使って用紙ＩＤなどの情報を埋め込むことで、コンテンツコピー機１が用紙ＩＤなどの情報の埋め込まれたコピー防止模様をコンテンツの出力先の用紙に印刷できるように処理することがある。
【０１００】
コピー防止用用紙に埋め込まれる用紙ＩＤについて補足説明するならば、この用紙ＩＤには、用紙毎にユニークに設定される通し番号のようなＩＤと、機密保持レベルやコピー権限などに対応する用紙の種別を示すＩＤとがある。
【０１０１】
図１５の実施形態例で用いるコピー防止模様の決定に用いられる用紙ＩＤは前者の用紙ＩＤと後者の用紙ＩＤとの場合がある。一方、図１６の実施形態例で用いるコピー防止模様選択データの決定に用いられる用紙ＩＤは後者の用紙ＩＤである。
【０１０２】
以上説明したように、本発明のコンテンツコピー機１では、光学式コピー機構などで読み取ったコンテンツやそのコンテンツを記載するコピー防止用用紙に埋め込まれているコンテンツＩＤや用紙ＩＤを読み取り、それを使って正当な権限を有するユーザであるのか否かを判断する構成を採って、正当な権限を有しないと判断される場合には、光学式コピー機構などで読み取ったコンテンツをそのまま出力することで、コピー防止模様が浮かび上がる形のコンテンツを出力し、正当な権限を有すると判断される場合には、光学式コピー機構などで読み取ったコンテンツを廃棄して、コンテンツＩＤの指すコンテンツを取得してそれを出力することで、コピー防止模様が浮かび上がらない形のコンテンツを出力するという構成を基本的な構成とするものである。
【０１０３】
図示実施例に従って本発明を説明したが、本発明はこれに限定されるものではない。例えば、実施例では、図３ないし図５に示したようなデータ構造を持つコンテンツＩＤ管理表２１を備えることで説明を行ったが、それ以外のデータ構造を持つコンテンツＩＤ管理表２１が用意される場合には、コンテンツコピー機１は、それに応じた情報（例えば、コンテンツＩＤと用紙ＩＤとの組データ）をコンテンツ管理センタ２に送信することで出力制御用データを取得して、それに応じて、画像読取部１０の読み取った入力コンテンツをそのまま印刷するのか、コンテンツ管理センタ２の取得したコンテンツを印刷するのかを制御するように処理することになる。
【０１０４】
【発明の効果】
以上説明したように、本発明によれば、コピー防止用用紙に記載されるコンテンツをコピーする構成を採るときにあって、正当な権限を有しないユーザに対しては、コピー防止模様が浮かび上がる形のコンテンツをコピー出力し、正当な権限を有するユーザに対しては、コピー防止模様が浮かび上がらない形の高品質のコンテンツをコピー出力できるようになることで、著作権の保護を図りつつコンテンツをコピーできるようになる。
【０１０５】
そして、このとき、正当な権限を有するユーザに対しては、コピー権限の大きさに応じた品質レベルのコンテンツを出力することができるようなる。
【図面の簡単な説明】
【図１】本発明の一実施形態例である。
【図２】本発明の一実施形態例である。
【図３】コンテンツＩＤ管理表の一実施形態例である。
【図４】コンテンツＩＤ管理表の一実施形態例である。
【図５】コンテンツＩＤ管理表の一実施形態例である。
【図６】本発明を実現するための処理フローの一実施形態例である。
【図７】本発明の処理の説明図である。
【図８】本発明の処理の説明図である。
【図９】本発明を実現するための処理フローの他の実施形態例である。
【図１０】本発明の処理の説明図である。
【図１１】ＩＤの読取処理の処理フローの一実施形態例である。
【図１２】出力制御用データの決定処理の処理フローの一実施形態例である。
【図１３】コンテンツＩＤ管理表の一実施形態例である。
【図１４】本発明を実現するための処理フローの他の実施形態例である。
【図１５】本発明の処理の説明図である。
【図１６】本発明の処理の説明図である。
【図１７】コンテンツ管理システムの説明図である。
【図１８】コンテンツＩＤの説明図である。
【符号の説明】
１    コンテンツコピー機
２    コンテンツ管理センタ
１０  画像読取部
１１  検索用補助データ取得部
１２  透かし検出部
１３  管理センタ問い合わせ部
１４  出力データ生成部
１５  選択部
１６  画像出力部
２０  コンテンツ原本データベース
２１  コンテンツＩＤ管理表
２２  問い合わせ検索部
２３  コンテンツ加工送信部
【図１】
0003624138.tif 000002
【図２】
0003624138.tif 000003
【図３】
0003624138.tif 000004
【図４】
0003624138.tif 000005
【図５】
0003624138.tif 000006
【図６】
0003624138.tif 000007
【図７】
0003624138.tif 000008
【図８】
0003624138.tif 000009
【図９】
0003624138.tif 000010
【図１０】
0003624138.tif 000011
【図１１】
0003624138.tif 000012
【図１２】
0003624138.tif 000013
【図１３】
0003624138.tif 000014
【図１４】
0003624138.tif 000015
【図１５】
0003624138.tif 000016
【図１６】
0003624138.tif 000017
【図１７】
0003624138.tif 000018
【図１８】
0003624138.tif 000019